(57)【要約】【課題】支柱に仕切板を取り付ける際に使用する固定具の取付作業を容易に行うことができる構造とし、さらにこの固定具の取付部の強度を簡単な構造で強化するようにした仕切板用固定具を提供する。【解決手段】支柱２の側部に沿って上下方向に形成された断面C型からなる縦溝３内に挿着する固定具１であって、縦溝３内に挿着した固定具１に仕切板Ｐを固定するようにした間仕切用固定具１において、該固定具１は合成樹脂により形成すると共に、該固定具１の本体４と支柱２の縦溝３内に嵌合される嵌合部５とを連結してなる連結部６の内部に本体４と嵌合部５とを貫く金属製棒部材７が内設されたことにより連結部６の強度を補完した。【選択図】図２
0003133662.tif 000002
【実用新案登録請求の範囲】
【請求項１】
支柱の側部に沿って上下方向に形成された断面C型からなる縦溝内に挿着する固定具であって、前記縦溝内に挿着した固定具に仕切板を固定するようにした間仕切用固定具において、該固定具は合成樹脂により形成すると共に、該固定具の本体と前記支柱の縦溝内に嵌合される嵌合部とを連結してなる連結部の内部に本体と嵌合部とを貫く金属製棒部材が内設されたことにより連結部の強度を補完したことを特徴とする間仕切用固定具。
【考案の詳細な説明】
【技術分野】
【０００１】
本考案は、間仕切り等のように支柱に成形された縦溝に仕切板を簡易に取り付けることができる仕切板用固定具に関する。
【背景技術】
【０００２】
近時、オフィス等において、「ブース」と称せられる仕切り型小部屋が普及している。このブース等に使用される仕切板用固定具について、以下に示す特許文献を参照する。特許文献１に記載されている「間仕切りパネルの連結構造」は、間仕切りパネルの木口面に縦溝部を設け、この縦溝部にC字型の断面形状を有するレールを固定すると共に、このレールの縦溝部に締結用ボルトの頭部をスライド自在に挿入した状態として、締結用ボルトを他の間仕切りパネルの穴部に挿入してナットで固定することにより、間仕切りパネルの木口面に他の間仕切りパネルを固定したものである。
【０００３】
ところが、この特許文献１においては、金属製の締結用ボルトの頭部をレールに係止して、他の間仕切りパネルにナットで固定する際、締結用ボルトの頭部をレールの端部からC字型の断面形状内に挿入する必要があるため、縦溝部の任意位置から締結用ボルトを挿入できないという不都合がある。また、金属製の締結用ボルトの頭部をレールにスライド自在に挿入した際、このボルトを任意高さで停止状態にすることができないため、間仕切りパネルの取付作業が厄介であるという不都合がある。
【０００４】
また、特許文献２に記載されている「仕切り壁構造」は、支持体に形成された溝の内部に被連結体（ナットの機能を有するもの）を挿脱自在に設け、この被連結体に連結体（ボルトの機能を有するもの）を締結可能にしてあり、また連結体に当接部材の貫通孔を挿入した状態で回動することにより、この当接部材によってパネル体の端部を係止するようにしている。
【０００５】
従って、この文献の構造においても、支持体に形成された溝の端部からナットとして機能する被連結体を挿入し、この被連結体を所定高さまでスライドさせてからボルトとして機能する連結体を螺合するという作業を必要とするうえ、支持体の溝内に被連結体を任意高さで停止させることができないため、効率的な作業を行うことが困難であるという不都合があった。
【特許文献１】特開２００３−１２９５９７号公報
【特許文献２】特開２００４−２６３４８５号公報
【考案の開示】
【考案が解決しようとする課題】
【０００６】
また、上記の仕切板用固定具を工業用ロボットの安全カバーに使用した場合、ロボットの大型化や高速化に伴い、安全確保のために、仕切板用固定具の強度アップが必要となるため、このような要請にも応える必要がある。
【０００７】
本考案は、上記の問題点を解消するために、支柱に仕切板を取り付ける際に使用する固定具の取付作業を容易に行うことができる構造とし、さらにこの固定具の取付部の強度を簡単な構造で強化するようにした仕切板用固定具を提供することを目的とする。
【課題を解決するための手段】
【０００８】
上記の目的を達成するために、本考案の請求項１における仕切板用固定具は、支柱の側部に沿って上下方向に形成された断面C型からなる縦溝内に挿着する固定具であって、前記縦溝内に挿着した固定具に仕切板を固定するようにした間仕切用固定具において、該固定具は合成樹脂により形成すると共に、該固定具の本体と前記支柱の縦溝内に嵌合される嵌合部とを連結してなる連結部の内部に本体と嵌合部とを貫く金属製棒部材が内設されたことにより連結部の強度を補完したことを特徴とする。
【考案の効果】
【０００９】
本考案は、上記のように構成されているため、間仕切用固定具の本体と嵌合部と連結とが合成樹脂で形成されている構造であるにもかかわらず、連結部の内部に、本体と連結部と嵌合部とを貫く金属製棒部材が内設された構成により、特に連結部及び嵌合部が補強され、固定具に外力が作用しても、連結部或いは嵌合部が折れたりすることがなく、この固定具に安全且つ確実に仕切板をネジ止めしておくことが可能となる。
【考案を実施するための最良の形態】
【００１０】
以下、本考案の実施例について図面を参照しながら説明する。
【実施例１】
【００１１】
本考案による間仕切用固定具は、図２（ａ）又は(ｂ)に示すように、支柱２の側部に沿って上下方向に形成された断面C型からなる縦溝３内に挿着する間仕切用固定具１（以下、単に「固定具」という）であって、該固定具１は合成樹脂により形成すると共に、固定具１の本体４と支柱２の縦溝３内に嵌合される嵌合部５とを連結してなる連結部６の内部に本体４と嵌合部５とを貫く金属製棒部材７が内設されたことにより連結部６の強度を補完した構成としたものである。
【００１２】
このような本実施例の固定具１を取付けるべき支柱２の一例を図２（ａ）又は(ｂ)に示すと、この支柱２はブースの隅部に立設し、又は四方に配設した仕切板を連結するのに適するものであり、断面形状が正方形に形成されてなるアルミ素材から作成され、支柱２の各側部に沿って上下方向に断面C型からなる縦溝３、３…が形成されている。
【００１３】
本実施例の固定具１は、上記の支柱２の縦溝３に取付け可能に形成されたものであり、図１に示すように、四角立方体形状に形成された本体４の一面に連結部６を介して長形に膨出した形状の嵌合部５が形成され、本体４は全体的に合成樹脂により形成されているが、図１又は図３(ｄ)に示すように、本体４と嵌合部５とを連結する連結部６の内部に貫通孔６ａが形成され、この貫通孔６ａに金属製棒部材７を挿着したことにより、特に固定具１の連結部６及び嵌合部５が金属製棒部材７によって補強され、外力によって連結部６が折れたり、嵌合部５が本体４から外れてしまうような不都合を解消するようにしている。
【００１４】
さらに、図１に示すように、固定具１の連結部６に対して長形に膨出した形状を有する嵌合部５は、支柱２の縦溝３における開口の間に挿入される細幅５ａ（図３（ａ）参照）に形成され、図２（ａ）に示すように、この嵌合部５を支柱２の縦溝３内に挿入した状態で回動することにより、嵌合部５の長形側の両部が支柱２の縦溝３の両側突出片３ａ、３ｂを挟持することによって固定される。このような構造においては、嵌合部５と本体４の上面との隙間幅ｇ（図３(ｂ)参照）が支柱２の縦溝３の両側突出片３ａ、３ｂを挟み込んで、支柱２の縦溝３に対して滑りが生じないように固定することが可能とされている。
【００１５】
さらに、図３（ａ）〜(ｅ)に示すように、固定具１の本体４の側部にはネジ挿通孔８が形成され、また本体４の内部においてネジ挿通孔８に直交するようにナット収嵌溝９が形成されている。なお、ネジ挿通孔８はやや長形に形成され、その長形幅の範囲でネジの締結位置を調整することが可能とされている。
【００１６】
また、ナット収嵌溝９は、その溝の入口付近の内部に突出係止部９ａが形成され、ナット１０をナット収嵌溝９に挿入した後、ナット１０が突出係止部９ａに係止されることによってナット１０の離脱を防止すると共に、ナット収嵌溝９内に挿着されたナット１０のネジ穴１０ａをネジ挿通孔８に対して位置決めすることができるようにされている。
【００１７】
なお、本実施例の固定具は、図３（ａ）に示すように、固定具１の本体４の上面に設けられた嵌合部５及び連結部６の位置が本体４の上面の中心ではなく、Ｌ１＜Ｌ２、Ｔ１＜Ｔ２の大小関係で、本体４の上面の中心からずれた位置に設けられている。このうちＬ１＜Ｌ２の関係としたのは、本体４の略中心位置に設けられたネジ挿通孔８とナット収嵌溝９との形成位置を確保するためである。
【００１８】
また、Ｔ１＜Ｔ２の関係としたのは、固定具１に固定する仕切板Ｐの厚さに対応させたものであり、支柱２の縦溝３に嵌合部５を挿着する際、Ｔ１側又はＴ２側のいずれを前方に向けた状態で挿着するかによって、固定具１に固定すべき仕切板Ｐの厚さに対応させ、固定具１の前面と支柱２の前面とが略一致した均等面とすることが可能となる。
【００１９】
上記の固定具１を用いて仕切板Ｐを取り付けるには、図２（ａ）に示すように、支柱２の縦溝３における任意高さの開口隙間の前方から固定具１の嵌合部５を挿入して回動することにより、ネジ挿通孔８を前面に向けた状態で固定具１が所定高さに定着された状態となる。このように、本実施例の固定具１は、支柱２の縦溝３の端部から挿入するのではなく、縦溝３の前方の任意高さから、その縦溝３の開口隙間に対して固定具１の嵌合部５の細幅５ａを通過させた後に回動することによって挿着するようにしてあるため、固定具１の取付作業性が良くなり、また固定具１の高さ調整も容易に行うことができ、さらには固定具１を取り外す際にも、任意位置で固定具１を回動するだけで支柱２の縦溝３の隙間から取り外し可能となる。
【００２０】
さらに、上記のように、支柱２の縦溝３の所定高さに所定個数の固定具１、１…の各ネジ挿通孔８が前面に向けられた状態とした後、図２(ｂ)に示すように、各固定具１の前面に仕切板Ｐを当てて、各固定具１のネジ挿通孔８に仕切板Ｐのネジ穴１１（図２（ａ）参照）からネジ１２を挿入して固定具１内のナット１０のネジ穴１０ａに締結することによって、仕切板Ｐの取り付けが完了する。このような状態において、固定具１に外力が作用しても、連結部６或いは嵌合部５が折れたりすることがなく、この固定具１に安全且つ確実に仕切板Pをネジ止めしておくことが可能となる。
【産業上の利用可能性】
【００２１】
本考案の仕切板用固定具は、支柱に仕切板を取り付ける際に使用する固定具の取付作業を容易に行うことができ、さらにこの固定具の取付け強度を簡単な構成で向上するようにした仕切板用固定具として利用可能である。また、本考案の仕切板用固定具を工業用ロボットの安全カバーに使用することによって、ロボットの大型化や高速化に伴う安全確保の要請に応えることができるように、強度をアップした仕切板用固定具としても利用可能である。
【図面の簡単な説明】
【００２２】
【図１】本考案に係る仕切板用固定具の外観斜視図である。
【図２】（ａ）は本考案に係る仕切板用固定具を支柱の縦溝に取り付ける手順を示す斜視図であり、(ｂ)は取付け後の仕切板用固定具に仕切板を固定した状態を示す斜視図である。
【図３】本考案に係る仕切板用固定具を示す図であり、(ａ)は上面図、(ｂ)は側面図、(ｃ)は正面図、(ｄ)は断面図、(ｅ)は底面図である。
【符号の説明】
【００２３】
１  間仕切用固定具（固定具）
２  支柱
３  縦溝
３ａ、３ｂ  両側突出片
４  本体
５  嵌合部
５ａ  細幅
６  連結部
６ａ  貫通孔
７  金属製棒部材
８  ネジ挿通孔
９  ナット収嵌溝
９ａ  突出係止部
１０  ナット
１０ａ  ネジ穴
１１  ネジ穴
１２  ネジ
Ｐ  仕切板
ｇ  隙間幅
Ｌ１、Ｌ２、Ｔ１、Ｔ２  偏心距離
【図１】
0003133662.tif 000003
【図２】
0003133662.tif 000004
【図３】
0003133662.tif 000005